【手続補正書】
【提出日】平成17年5月13日(2005.5.13)
【手続補正１】
【補正対象書類名】明細書
【補正対象項目名】特許請求の範囲
【補正方法】変更
【補正の内容】
【特許請求の範囲】
【請求項１】
原稿を画像読み取り手段による画像読み取りが行われる所定の読み取り位置に搬送する原稿給送装置において、
原稿を前記読み取り位置の上流の読取待機位置まで搬送する原稿給紙手段と、
前記画像読み取り手段が画像読み取り可能状態となっていることを検知する検知手段と、
前記検知手段に基づいて前記原稿給紙手段を制御する制御手段と、
を備え、
前記制御手段は、前記検知手段から画像読み取り可能状態の検知がされない場合には前記原稿を前記読取待機位置にて停止させるよう前記原稿給紙手段を制御することを特徴とする原稿給送装置。
【請求項２】
原稿を画像読み取り手段による画像読み取りが行われる所定の読み取り位置に搬送手段により搬送する原稿給送装置において、
前記画像読み取り手段が画像読み取り可能状態となっていることを検知する検知手段と、
前記検知手段から画像読み取り可能状態の検知信号に基づいて原稿の画像読み取りが行われる所定の読み取り位置に搬送する搬送手段を制御する制御手段と、
を備え、
前記制御手段は、前記搬送手段による原稿搬送中に前記検知手段から画像読み取り可能状態の検知がされた場合には前記原稿を停止させずに原稿を前記読み取り位置へ搬送するよう制御することを特徴とする原稿給送装置。
【請求項３】
原稿を画像読み取り手段による画像読み取りが行われる所定の読み取り位置に搬送する原稿給送装置において、
原稿を前記読み取り位置の上流の読取待機位置まで搬送する原稿給紙手段と、
前記読取待機位置にある原稿を前記読み取り位置へ搬送する原稿搬送手段と、
前記画像読み取り手段が画像読み取り可能状態となっていることを検知する検知手段と、
前記検知手段に基づいて前記原稿給紙手段及び原稿搬送手段を制御する制御手段と、
を備え、
前記制御手段は、前記検知手段により画像読み取り可能状態を検知していない場合、前記原稿を読取待機位置にて画像読み取りが可能となるまで停止させ、原稿搬送中に前記検知手段により画像読み取り可能状態を検知した場合、前記原稿を停止させずに原稿を前記読み取り位置へ搬送するよう前記原稿給紙手段及び原稿搬送手段を制御することを特徴とする原稿給送装置。
【請求項４】
前記原稿の画像を読み取る際、前記原稿を所定の位置に停止した状態の前記画像読み取り手段の上方を通過させるようにしたことを特徴とする請求項１乃至３のいずれか１項に記載の原稿給送装置。
【請求項５】
前記請求項１乃至４のいずれか１項に記載の原稿給送装置を備えたことを特徴とする画像形成装置。
【請求項６】
原稿を画像読み取り手段による画像読み取りが行われる所定の読み取り位置の上流の読取待機位置まで搬送する原稿給紙手段と、
前記画像読み取り手段が画像読み取り可能状態となっていることを検知する検知手段と、
前記検知手段からの信号に基づいて前記原稿給紙手段を制御する制御手段と、
前記画像読み取り手段により読み取られた画像に基づいて画像を形成する画像形成手段と、
を備え、
前記制御手段は、前記原稿給紙手段による原稿搬送中に前記検知手段により画像読み取り可能状態を検知しない場合には前記原稿を前記読取待機位置にて停止させるよう前記原稿給紙手段を制御することを特徴とする画像形成装置。
【請求項７】
原稿を画像読み取り手段による画像読み取りが行われる所定の読み取り位置の上流の読取待機位置まで搬送する原稿給紙手段と、
前記読取待機位置にある原稿を前記読み取り位置へ搬送する原稿搬送手段と、
前記画像読み取り手段が画像読み取り可能状態となっていることを検知する検知手段と、
前記検知手段に基づいて前記原稿給紙手段及び原稿搬送手段を制御する制御手段と、
前記画像読み取り手段により読み取られた画像に基づいて画像を形成する画像形成手段と、
を備え、
前記制御手段は、前記原稿給紙手段による原稿搬送中に前記検知手段により画像読み取り可能状態が検知された場合には前記原稿を停止させずに原稿を前記読み取り位置へ搬送するよう前記原稿給紙手段及び原稿搬送手段を制御することを特徴とする画像形成装置。
【請求項８】
原稿を画像読み取り手段による画像読み取りが行われる所定の読み取り位置の上流の読取待機位置まで搬送する原稿給紙手段と、
前記読取待機位置にある原稿を前記読み取り位置へ搬送する原稿搬送手段と、
前記画像読み取り手段が画像読み取り可能状態となっていることを検知する検知手段と、
前記検知手段に基づいて前記原稿給紙手段及び原稿搬送手段を制御する制御手段と、
前記画像読み取り手段により読み取られた画像に基づいて画像を形成する画像形成手段と、
を備え、
前記制御手段は、前記原稿給紙手段による原稿搬送中に前記検知手段により画像読み取り可能状態が検知されない場合には前記原稿を読取待機位置にて画像読み取りが可能となるまで停止させ、原稿搬送中に画像読み取り可能状態が検知された場合には前記原稿を停止させずに原稿を前記読み取り位置へ搬送するよう前記原稿給紙手段及び原稿搬送手段を制御することを特徴とする画像形成装置。
【請求項９】
前記原稿の画像を読み取る際、前記原稿を所定の位置に停止した状態の前記画像読み取り手段の上方を通過させるようにしたことを特徴とする請求項６乃至８のいずれか１項に記載の画像形成装置。
【請求項１０】
原稿露光部を有する画像読取部により画像読取が行われる所定の読取位置に、原稿を搬送する原稿給送装置において、
原稿を前記読取位置の上流の読取待機位置へ搬送する原稿搬送部と、
前記画像読取部が画像読取可能状態であることを検知する検知部と、
原稿が前記読取待機位置に到達するまでに、前記画像読取部が前記画像読取可能状態になったことを前記検知部が検知しなかった場合、原稿を前記読取待機位置に停止させ、原稿が前記読取待機位置に到達するまでに、前記画像読取部が前記画像読取可能状態になったことを前記検知部が検知した場合、原稿を前記読取待機位置に停止させずに原稿を前記読取位置へ搬送するよう前記原稿搬送部を制御する制御部と、
を備え、
前記制御部は、前記読取位置に搬送された原稿の画像を前記画像読取部が読取る際、前記読取位置の下方の流し読み位置に固定された前記原稿露光部上を通過するように原稿を前記原稿搬送部により搬送させることを特徴とする原稿給送装置。
【請求項１１】
前記画像読取可能状態とは、前記原稿露光部が前記流し読み位置に到達した状態であることを特徴とする請求項１０記載の原稿給送装置。
【請求項１２】
前記検知部は、前記原稿露光部が前記流し読み位置に到達したときに出力される信号を検知することで、前記画像読取部が前記画像読取可能状態であることを検知することを特徴とする請求項１０記載の原稿給送装置。
【請求項１３】
前記制御部は、前記原稿を前記読取待機位置にて停止させた後に、前記画像読取部が前記画像読取可能状態になったことを検知した場合、再び、原稿を前記読取位置へ搬送するよう前記原稿搬送部を制御することを特徴とする請求項１０記載の原稿給送装置。
【請求項１４】
前記請求項１０乃至１３の何れか１項に記載の原稿給送装置と、
前記画像読取部により読取られた原稿の画像に基づいてシートに画像を形成する画像形成部と、
を備えたことを特徴とする画像形成装置。
【手続補正２】
【補正対象書類名】明細書
【補正対象項目名】０００７
【補正方法】変更
【補正の内容】
【０００７】
【課題を解決するための手段】
本発明は、原稿を画像読み取り手段による画像読み取りが行われる所定の読み取り位置に搬送する原稿給送装置において、原稿を前記読み取り位置の上流の読取待機位置まで搬送する原稿給紙手段と、前記画像読み取り手段が画像読み取り可能状態となっていることを検知する検知手段と、前記検知手段に基づいて前記原稿給紙手段を制御する制御手段と、を備え、前記制御手段は、前記検知手段から画像読み取り可能状態の検知がされない場合には前記原稿を前記読取待機位置にて停止させるよう前記原稿給紙手段を制御することを特徴とするものである。
【手続補正３】
【補正対象書類名】明細書
【補正対象項目名】０００９
【補正方法】変更
【補正の内容】
【０００９】
また本発明は、原稿を画像読み取り手段による画像読み取りが行われる所定の読み取り位置に搬送する原稿給送装置において、原稿を前記読み取り位置の上流の読取待機位置まで搬送する原稿給紙手段と、前記読取待機位置にある原稿を前記読み取り位置へ搬送する原稿搬送手段と、前記画像読み取り手段が画像読み取り可能状態となっていることを検知する検知手段と、前記検知手段に基づいて前記原稿給紙手段及び原稿搬送手段を制御する制御手段と、を備え、前記制御手段は、前記検知手段により画像読み取り可能状態を検知していない場合、前記原稿を読取待機位置にて画像読み取りが可能となるまで停止させ、原稿搬送中に前記検知手段により画像読み取り可能状態を検知した場合、前記原稿を停止させずに原稿を前記読み取り位置へ搬送するよう前記原稿給紙手段及び原稿搬送手段を制御することを特徴とするものである。
【手続補正４】
【補正対象書類名】明細書
【補正対象項目名】００１１
【補正方法】変更
【補正の内容】
【００１１】
また本発明は、原稿を画像読み取り手段による画像読み取りが行われる所定の読み取り位置の上流の読取待機位置まで搬送する原稿給紙手段と、前記画像読み取り手段が画像読み取り可能状態となっていることを検知する検知手段と、前記検知手段からの信号に基づいて前記原稿給紙手段を制御する制御手段と、前記画像読み取り手段により読み取られた画像に基づいて画像を形成する画像形成手段と、を備え、前記制御手段は、前記原稿給紙手段による原稿搬送中に前記検知手段により画像読み取り可能状態を検知しない場合には前記原稿を前記読取待機位置にて停止させるよう前記原稿給紙手段を制御することを特徴とするものである。
【手続補正５】
【補正対象書類名】明細書
【補正対象項目名】００１２
【補正方法】変更
【補正の内容】
【００１２】
また本発明は、原稿を画像読み取り手段による画像読み取りが行われる所定の読み取り位置の上流の読取待機位置まで搬送する原稿給紙手段と、前記読取待機位置にある原稿を前記読み取り位置へ搬送する原稿搬送手段と、前記画像読み取り手段が画像読み取り可能状態となっていることを検知する検知手段と、前記検知手段に基づいて前記原稿給紙手段及び原稿搬送手段を制御する制御手段と、前記画像読み取り手段により読み取られた画像に基づいて画像を形成する画像形成手段と、を備え、前記制御手段は、前記原稿給紙手段による原稿搬送中に前記検知手段により画像読み取り可能状態が検知された場合には前記原稿を停止させずに原稿を前記読み取り位置へ搬送するよう前記原稿給紙手段及び原稿搬送手段を制御することを特徴とするものである。
【手続補正６】
【補正対象書類名】明細書
【補正対象項目名】００１３
【補正方法】変更
【補正の内容】
【００１３】
また本発明は、原稿を画像読み取り手段による画像読み取りが行われる所定の読み取り位置の上流の読取待機位置まで搬送する原稿給紙手段と、前記読取待機位置にある原稿を前記読み取り位置へ搬送する原稿搬送手段と、前記画像読み取り手段が画像読み取り可能状態となっていることを検知する検知手段と、前記検知手段に基づいて前記原稿給紙手段及び原稿搬送手段を制御する制御手段と、前記画像読み取り手段により読み取られた画像に基づいて画像を形成する画像形成手段と、を備え、前記制御手段は、前記原稿給紙手段による原稿搬送中に前記検知手段により画像読み取り可能状態が検知されない場合には前記原稿を読取待機位置にて画像読み取りが可能となるまで停止させ、原稿搬送中に画像読み取り可能状態が検知された場合には前記原稿を停止させずに原稿を前記読み取り位置へ搬送するよう前記原稿給紙手段及び原稿搬送手段を制御することを特徴とするものである。
【手続補正７】
【補正対象書類名】明細書
【補正対象項目名】００１４
【補正方法】変更
【補正の内容】
【００１４】
また本発明は、原稿露光部を有する画像読取部により画像読取が行われる所定の読取位置に、原稿を搬送する原稿給送装置において、原稿を前記読取位置の上流の読取待機位置へ搬送する原稿搬送部と、前記画像読取部が画像読取可能状態であることを検知する検知部と、原稿が前記読取待機位置に到達するまでに、前記画像読取部が前記画像読取可能状態になったことを前記検知部が検知しなかった場合、原稿を前記読取待機位置に停止させ、原稿が前記読取待機位置に到達するまでに、前記画像読取部が前記画像読取可能状態になったことを前記検知部が検知した場合、原稿を前記読取待機位置に停止させずに原稿を前記読取位置へ搬送するよう前記原稿搬送部を制御する制御部と、を備え、前記制御部は、前記読取位置に搬送された原稿の画像を前記画像読取部が読取る際、前記読取位置の下方の流し読み位置に固定された前記原稿露光部上を通過するように原稿を前記原稿搬送部により搬送させることを特徴とするものである。また本発明は、前記画像読取可能状態とは、前記原稿露光部が前記流し読み位置に到達した状態であることを特徴とするものである。
【手続補正８】
【補正対象書類名】明細書
【補正対象項目名】００１５
【補正方法】変更
【補正の内容】
【００１５】
また本発明は、前記検知部は、前記原稿露光部が前記流し読み位置に到達したときに出力される信号を検知することで、前記画像読取部が前記画像読取可能状態であることを検知することを特徴とするものである。また本発明は、前記制御部は、前記原稿を前記読取待機位置にて停止させた後に、前記画像読取部が前記画像読取可能状態になったことを検知した場合、再び、原稿を前記読取位置へ搬送するよう前記原稿搬送部を制御することを特徴とするものである。